(57)【要約】【課題】コネクタ製造時のリフロー・ハンダ付け作業におけるリフロー熱による部品（コイルバネ）の変形を可及的に防止して不良品の製造を可及的に阻止するＩＣカード用コネクタを提供する。【解決手段】スライダ１２をカード挿入口４側へ常時付勢するコイルバネ１５を具え、該コイルバネ１５の付勢力に抗してスライダ１２をハウジング２に位置決め装着するロック手段１１を具えたＩＣカード用コネクタ１において、その金属シェル３に、スライダ１２がコイルバネ１５の付勢力によりカード挿入口４側へスライドして初期位置に配置された場合にはスライダ１２を露出させるとともに、スライダ１２がコイルバネ１５の付勢力に抗して前記端子側へスライドしてＩＣカード１０１の装着位置に配置された場合にはハウジング２を露出させるスライダ位置確認用の孔２１を形成している。【選択図】        図１
2004335174.tif 000002
【特許請求の範囲】
【請求項１】
端子を支承するハウジングと、該ハウジングに嵌着する金属シェルと、カード挿入口から挿入したＩＣカードをスライダを介して前記ハウジングに対し位置決め装着するとともに前記ＩＣカードの接続端子を前記端子に接触させて電気的接続を図るロック手段とを具え、該ロック手段は、前記スライダを前記カード挿入口側へ常時付勢するコイルバネを具えてなるＩＣカード用コネクタにおいて、
前記金属シェルに、
前記スライダが前記コイルバネの付勢力により前記カード挿入口側へスライドして初期位置に配置された場合には前記スライダを露出させるとともに、前記スライダが前記コイルバネの付勢力に抗して前記端子側へスライドして前記ＩＣカードの装着位置に配置された場合には前記ハウジングを露出させるスライダ位置確認用の孔を形成するようにしたことを特徴とするＩＣカード用コネクタ。
【請求項２】
前記スライダ位置確認用の孔から露出する前記スライダの部分と、前記スライダ位置確認用の孔から露出する前記ハウジングの部分とが、互いに異なる色に着色されているようにしたことを特徴とする請求項（１）記載のＩＣカード用コネクタ。
【請求項３】
前記スライダ位置確認用の孔から露出する前記スライダの部分が白色に着色されているとともに、前記スライダ位置確認用の孔から露出する前記ハウジングの部分が黒色に着色されているようにしたことを特徴とする請求項（２）記載のＩＣカード用コネクタ。
【発明の詳細な説明】
【０００１】
【発明の属する技術分野】
この発明は、外部記憶装置として使用されるＩＣカード、特にＳＤカードと称されるＩＣカードを扱うＩＣカード用コネクタに関するものである。
【０００２】
【従来の技術】
従来から、薄形ノートパソコン等のモバイル機器、デジタルカメラ等の情報家電機器、ＭＰ３プレーヤ等のＡＶ機器、携帯電話、ＰＤＡ等の情報端末機器の外部記憶装置として、着脱自在なＩＣカードを使用したものがある。
特に、このようなＩＣカードとして、ＳＤカード（ＳＤ  Ｃａｒｄ  Ａｓｓｏｓｉａｔｉｏｎ  規格基準のＩＣカード）はその厚さが薄く、また小型であるばかりでなく、記憶容量も比較的大きいことから薄形のパソコン、デジタルカメラ、携帯電話等の薄形でしかも小型の電子機器の外部記憶装置として多用される傾向にある。
【０００３】
上述したＩＣカードの一つであるＳＤカード（以下単に「カード」という。）を取り扱うＩＣカード用コネクタ（以下、単に「コネクタ」という。）には、カード挿入口からカードを押し込むと該カードを位置決め装着でき、位置決め装着されたカードをさらに奥へ押し込むと、カードをカード挿入口側に案内復帰させて該カードを引き出し可能にするタイプのコネクタ（以下、「プッシュインプッシュアウト方式のコネクタ」という。）がある。（例えば、特許文献１参照。）図４は、この従来のプッシュインプッシュアウト方式のコネクタの概念斜視図であって、カードを装着した様子を示している。
図４に示す従来のプッシュインプッシュアウト方式のコネクタ３１は、通常、金属シェル３と、該金属シェルを嵌着する図示せぬハウジング２（後述）とから構成されている。
【０００４】
このうち、金属シェル３には、装着したカード１０１の上面を一部露出させる孔３ａと、挿入したカード１０１をハウジング２（後述）へ向け常時付勢する弾性舌片３ｂが形成されている。
【０００５】
図５は、図４のコネクタ３１の構成を示す概念図であって、図４の金属シェルを取り除いた様子を示す図である。
図５で示すように、ハウジング２には、カード１０１を該ハウジング２に対し位置決め装着するとともに、カード１０１の裏面に形成された図示せぬ接続端子をハウジング２に支承した複数の端子８１（図６）に接触させて該接続端子と端子８１とを電気的接続するロック手段１１とを具えている。
【０００６】
このロック手段１１は、ハウジング２に対しスライド自在で、かつカード挿入口４を介し矢印Ａ方向から挿入されたカード１０１を案内するスライダ１２と、該スライダ１２がスライドして図５で示す所定位置（以下、「カードの装着位置」という。）に達した場合にカード１０１をスライダ１２を介してハウジング２に対し位置決めする位置決め手段１３とを具えている。
【０００７】
また、このうちの位置決め手段１３は、スライダ１２を常時カード挿入口４（図６）側へ付勢するコイルバネ１５から構成されている。このコイルバネ１５は、一端がスライダ１２の突起１２ｂに連結され、他端がハウジング２の突起２ｂに連結されている。
【０００８】
なお、上記位置決め手段１３は、さらにカード１０１をスライダ１２に位置決めする図示せぬ板バネと、ハウジング２とスライダとに介在されるハート式のカム機構１６をさらに具えている。このような構成からなる位置決め手段１３の詳細な構造及び動作については、後述する特許文献１を参照されたい。
【０００９】
図６は、図４のコネクタの初期状態を示す概念斜視図であって、金属シェルを取り除いた様子を示している。
図６で示すように、初期状態においては、スライダ１２は、コイルバネ１５の付勢力によってカード挿入口４側へスライドしてスライド始端（初期位置）に配置されている。なお、図６の符号８１は、ハウジング２に支承された複数の端子８１を示している。
【００１０】
この図６の初期状態において、図７で示すようにカード挿入口４からカード１０１をハウジング２の端子８１側（矢印Ａ方向）へ押し込むように挿入する。すると、カード１０１の先端に形成された切り欠部１０１ｃがスライダ１２の略三角形状の当接部１２ｅに当接するとともに、カード１０１の一側方に形成された係合凹部１０１ａが前記板バネと係合し、これによりカード１０１がスライダ１２に係合保持される。なお、図７は、図４のコネクタの構成を示す概念図で、初期位置にあるスライダにカードが係合保持された直後の様子を示す図である。
【００１１】
また、上述したようにカード１０１をハウジング２の端子８１側へ押圧すると、カード１０１を係合保持したスライダ１２（図７）がコイルバネ１５の付勢力に抗してハウジング２の端子８１側へスライドし、図５及び図４で示すようにスライダ１２がカード１０１の装着位置に達すると、ハート式のカム機構１６によってスライダ１２がハウジング１２に位置決め係合し、この係合によりカード１０１がスライダ１２を介しハウジング２に位置決め装着される。
【００１２】
また、図５及び図４で示すようにスライダ１２がハウジング２に位置決め装着されると、カード１０１の図示せぬ接続端子とハウジング１２の端子８１（図６）とが接触する。この端子８１は、予め、図示せぬ印刷配線基板の導電パターンにリフロー・ハンダ付けされているから、カード１０１の前記接続端子と前記導電パターンとが接触すると、カード１０１の前記接続端子がハウジング２の端子８１を介して前記導電パターンに電気的接続される。
【００１３】
一方、ハウジング２に装着されたカード１０１（図４及び図５）を取り外すには、まず、装着されたカード１０１をハウジング２の端子８１側（矢印Ａ方向）へ押圧する。
すると、スライダ１２がコイルバネ１５の付勢力に抗してハウジング２の端子８１側へ移動し、これにより前記ハート式のカム機構１６によりスライダ１２とハウジングと２の係合が解除された後、図７に示すように、コイルバネ１５の付勢力によって、スライダ１２がカード挿入口４側（矢印Ａと反対方向）へスライドして前記初期位置に復帰する。
次に、図７に示すカード１０１を矢印Ａと反対方向へ引くと、カード１０１とスライダ１２との係合が解除され、これによりカード１０１をコネクタ３１から離脱することができる。
【００１４】
【特許文献１】
特開２００２−３４３４６８号公報（第４頁乃至第５頁、第１図乃至第３図、第６図、及び図７）
【発明が解決しようとする課題】
ところで、従来のプッシュインプッシュアウト方式のコネクタ３１（図４及び図６）では、そのコイルスプリング１５が、通常、金属製のコイルバネ１５から構成されている。
【００１５】
また、従来のプッシュインプッシュアウト方式のコネクタ３１では、スライダ１２を図６で示す初期位置に配置した状態、すなわち、コイルスプリング１５にスライダ１２またはハウジング２から応力が加えられていない状態で、ハウジング２の上記端子を印刷配線基板の導電パターンにリフロー・ハンダ付けし、これにより、その後にカード１０１を挿入して該カード１０１をハウジング２に位置決め装着した際に、カード１０１の前記接続端子をハウジング２の端子８１を介し前記印刷配線基板の前記導電パターンに電気的接続させるようにしている。
【００１６】
しかしながら、従来のコネクタ３１では、その概念平面図である図８で示すように、スライダ１２（図６）の上面全体が金属シェル３に覆われているから、前記リフロー・ハンダ付け作業をする際、コネクタ３１の外観を観察した場合に、スライダ１２が初期位置にあるか、又はスライダ１２がカード１０１の装着位置（カードの装着位置）にあるかを確認することができなかった。
そのため、スライダ１２がカード１０１の装着位置に配置された状態（図５におけるカード１０１を取り外した状態）で、誤って上記リフロー・ハンダ付け作業が行われることがあった。
【００１７】
そして、そのように誤ってリフロー・ハンダ付けがされた場合には、金属製のコイルバネ１５にはスライダ１２及びハウジング２から応力が加えられている状態でリフロー・ハンダ付け作業がされることとなるから、コイルバネ１５の材質の特性上、コイルバネ１５がリフロー・ハンダ付け工程における熱（以下「リフロー熱」という。）の影響を受けて前記応力を加えられた姿勢（図５に示す変形姿勢）を維持する傾向があった。そして、コイルバネ１５が上記応力が加えられた姿勢（変形姿勢）に維持されると、スライダ１２が初期位置に復帰できないため、カード１０１を挿入しても、カード１０１の係合凹部１０１ａとスライダ１２とが前記板バネを介して係合しなくなり、これにより、コネクタ３１自体が不良品となるという問題があった。
【００１８】
この発明は、上述した事情に鑑み、コネクタのリフロー・ハンダ付け作業におけるリフロー熱による部品（コイルバネ）の変形を可及的に防止して不良品の製造を可及的に阻止するＩＣカード用コネクタを提供することを目的とする。
【００１９】
【課題を解決するための手段】
上述した目的を達成するため、この発明は、端子を支承するハウジングと、該ハウジングに嵌着する金属シェルと、カード挿入口から挿入したＩＣカードをスライダを介して前記ハウジングに対し位置決め装着するとともに前記ＩＣカードの接続端子を前記端子に接触させて電気的接続を図るロック手段とを具え、該ロック手段は、前記スライダを前記カード挿入口側へ常時付勢するコイルバネを具えてなるＩＣカード用コネクタにおいて、前記金属シェルに、前記スライダが前記コイルバネの付勢力により前記カード挿入口側へスライドして初期位置に配置された場合には前記スライダを露出させるとともに、前記スライダが前記コイルバネの付勢力に抗して前記端子側へスライドして前記ＩＣカードの装着位置に配置された場合には前記ハウジングを露出させるスライダ位置確認用の孔を形成するようにしている。
【００２０】
【発明の実施の形態】
以下、この発明に係るＩＣカード用コネクタの一実施例を詳述する。
図１は、ＩＣカード、特にＳＤカードと称されるＩＣカード（以下、「カード」という。）を扱う本願発明のＩＣカード用コネクタ（以下、単に「コネクタ」と言う）の概念斜視図であって、特にカードを装着した様子を示す図である。
このコネクタ１は、上述したプッシュインプッシュアウト方式のコネクタである。なお、図１乃至後述する図３では、図５乃至図７で示す部分と同一部分を同一符号で示す。
【００２１】
また、図１のコネクタ１は、金属シェル３と、該金属シェル３を嵌着する図示せぬ前記ハウジング２とから構成されている。
【００２２】
このうち、金属シェル３には、スライダ位置確認用の孔２１が形成されている。また、ハウジング２の上面２ａ全体（図６参照）は黒色に着色されており、またスライダ１２の上面１２ａ全体（図６参照）は白色に着色されている。
【００２３】
図２は、図１のコネクタの概念平面図であって、特に、ハウジングの端子と印刷配線基板の導電パターンとのリフロー・ハンダ付け作業を行う前に、スライダがスライド始端（初期位置）に配置されたコネクタの様子を示す図である。
図２で示すように、スライダ１２がスプリング１５の付勢力によってカード挿入口４側へスライドして前記初期位置（図６に示す従来の初期位置と同じ位置）に配置されている場合には、スライダ１２の上面１２ａの一部である部分Ｂがスライダ位置確認用の孔２１から露出している。
なお、図２では、スライダ位置確認用の孔２１から露出するスライダ１２の前記部分Ｂを斜線（斜線部分）で図示している。また、この露出する部分Ｂは、白色に着色された部分である。また、図２では、ハウジング２の上面２ａ全体に着色されている黒色の当該着色の図示を省略している。
【００２４】
一方、図３は、図１のコネクタの概念斜視図で、特に前記リフロー・ハンダ付け作業を行う前に、スライダが前記カードの装着位置に配置された様子を示す図である。
図３に示すように、初期位置のスライダ１２が端子８１側へスライドして前記カード１０１の装着位置（図５に示す従来のカード装着位置と同じ位置）に配置されると、スライダ位置決め用の孔２１を介してハウジング２の上面２ａの一部である部分Ｃが露出する。
なお、図３ではスライダ位置確認用の孔２１からハウジング２の前記部分Ｃを斜線（斜線部分）で図示している。また、この露出する部分Ｃは、黒色に着色された部分である。また、図３では、当該部分以外のハウジング２の上面全体２ａ全体が黒色に着色されている様子の図示を省略している。
【００２５】
このように、この発明のコネクタでは、金属シェル３に、スライダ１２がコイルバネ１５の付勢力によりカード挿入口４側へスライドして初期位置に配置された場合にはスライダ１２を露出させるとともに、スライダ１２がコイルバネ１５の付勢力に抗して端子８１側へスライドしてカード１０１の装着位置に配置された場合にはハウジング２を露出させるスライダ位置確認用の孔２１を形成するようにしたから、リフロー・ハンダ付け作業前にコネクタ１の外観を観察すると、スライダ位置確認用の孔２１からスライダ１２が露出している場合にはスライダ１２が前記初期位置にあることを確認でき、又はスライダ位置確認用の孔２１からハウジング２が露出している場合には、スライダ１２がカードの装着位置に配置されていることを確認できる。
【００２６】
さらに、この発明のコネクタ１では、図２及び図３で示すように、スライダ位置確認用の孔２１から露出するスライダ１２の部分Ｂ（図２の斜線部分）と、スライダ位置確認用の孔２１から露出するハウジング２の部分Ｃ（図３の斜線部分）とを互いに異なる色に着色するようにしているので、リフロー・ハンダ付け処理前にコネクタ１を観察すると、スライダ位置確認用の孔２１からスライダ１２が露出するか、又はハウジング２が露出するかを、露出部分の色の相違によって、容易かつ正確に確認できる。したがって、スライダ１２のスライダ位置が初期位置にあるか又はカード装着位置にあるかということを確認（以下、「スライダ位置確認」という。）作業を容易かつ正確に行うことができる。
【００２７】
またさらに、この発明のコネクタでは、スライダ位置確認用の孔２１から露出するスライダ１２の部分Ｂ（図２の斜線部分）を白色に着色するとともにスライダ位置確認用の孔２１から露出するハウジング２の部分Ｃ（図３の斜線部分）を黒色に着色するとともとしているので、リフロー・ハンダ付け処理前にコネクタ１の外観を観察すると、スライダ位置確認用の孔２１からスライダ１２が露出するか、又はハウジング２が露出するかを、白色と黒色という明確に識別できる色彩の相違によって一層容易かつ正確に判断できる。したがって、スライダ位置確認作業を一層容易かつ簡単に行うことができる。
【００２８】
また、この発明のコネクタ１では、上述のように金属シェル２に形成したスライダ位置確認用の孔２１によりスライダ位置確認作業ができるので、そのスライダ位置確認作業において、図４で示すようにスライダ１２が初期位置にあると判断した場合にのみリフロー・ハンダ付け作業に移行する。
すると、スライダ２が可及的に初期位置に配置された状態でリフロー・ハンダ付け作業がされることとなり、またこの状態ではコイルバネ１５はスライダ１２やハウジング２から応力が加えられていないから、コイルバネ１５に該応力が加えられていない状態でリフロー・ハンダ付け作業がされることとなる。したがって、リフロー熱によってコイルバネ１５がスライダ１２又はハウジング２から応力を加えられた姿勢（変形姿勢）にされることは可及的に防止できる。
【００２９】
一方、スライダ１２が初期位置に配置されていないと判断した場合には、直ちに上記リフロー・ハンダ付け作業を行うのではなく、スライダ１２を初期位置に復帰させた後、リフロー・ハンダ付け作業を行うようにすればよい。
このようにすると、スライダ２を可及的に初期位置に配置させた状態でリフロー・ハンダ付け作業が行われることとなり、この状態では、コイルバネ１５はスライダ１２やハウジング２から応力が加えられていないから、コイルバネ１５は前記応力が加えられていない状態でリフロー・ハンダ付け作業がされることとなる。
したがって、リフロー熱によってコイルバネ１５がスライダ１２又はハウジング２から応力を加えられた姿勢（変形姿勢）にされることは可及的に防止できる。
【００３０】
また、このコネクタ１では、上述のようにリフロー・ハンダ付け作業によってコイルバネ１５が応力が加えられた変形姿勢にされることを可及的に防止できるから、スライダ１２を確実に初期位置に配置できる。したがって、リフロー・ハンダ付け処理後、カード挿入口４からカード１０１を挿入した場合には、カード１０１の前記係合凹部１０１ａと初期位置のスライダ１２とが前記板バネを介して確実に係合することとなるから、従来のようにコイルバネ１５の変形姿勢によりコネクタ６１の不良品が発生する虞は可及的に防止される。
【００３１】
なお、カードの装着位置に配置されたスライダ１２を初期位置に復帰させる手段としては、たとえば、まずカード挿入口４からカード１０１を端子８１側へ向けて（矢印Ａ方向に）挿入し、これによりハート式のカム機構１６の動作によってスライダ１２とハウジング２との係合を解除させるとともにコイルバネ１５の付勢力によってスライダ１２を初期位置にスライド復帰させる。次に、挿入したカード１０１をコネクタ１から引き出す。すると、スライダ１２とカード１０１との係合保持が解除されてカード１０１をコネクタ１から離脱することができる。
【００３２】
また、このカード挿入によってスライダ１２が初期位置（図２）に復帰したか否かを確認するためには、再びコネクタ１２の外観を観察してスライダ位置確認用の孔２１からスライダ１２が露出することを上記スライダ位置確認作業によって確認すればよい。
なお、上記ハートカム式のカム機構１６とコイルバネ１５の詳細な構造及び動作は、上記特許文献１を参照されたい。
【００３３】
また、上記実施例では、ハウジング２の上面２ａの全体とスライダ１２の上面１２ａの全体とに互いに異なる着色を施すこととし、これによりスライダ位置確認作業を容易かつ正確に行うようにしたが、この発明のコネクタ１では、ハウジング２の上面２ａの全体とスライダ１２の上面１２ａの全体がそれぞれ着色されている場合に限定されず、スライダ位置確認用の孔２１から露出するハウジング２の部分Ｂ（図２の斜線部分）と、スライダ位置確認用の孔２１から露出するスライダ１２の部分Ｃ（図３の斜線部分）とが、互いに異なる色に着色されていれば、スライダ位置確認作業を容易かつ正確にすることができる。
【００３４】
なお、上記実施例では、スライダ位置確認用の孔２１から露出するハウジング２の部分Ｂ（図２の斜線部分）と、スライダ位置確認用の孔２１から露出するスライダ１２の部分Ｃ（図３の斜線部分）とを、互いに異なる色に着色することとし、これによりスライダ位置確認作業を容易かつ正確にすることとしたが、スライダ位置確認作業ができる本願発明のコネクタ１は、金属シェル３にスライダ位置確認用の孔２１が形成されていればよく、必ずしもこれらの露出部分が互いに異なる色に着色されていることは必要とされない。
【００３５】
また、この実施例では、スライダ位置確認用の孔２１から露出するハウジング２の部分Ｂ（図２の斜線部分）を白色に着色し、スライダ位置確認用の孔２１から露出するスライダ１２の部分Ｃ（図３の斜線部分）を黒色に着色し、この白色と黒色という明確に識別できる色彩の相違を利用して、上記スライダ１２のスライダ位置確認作業を一層容易かつ正確にすることとしたが、スライダ位置確認作業を一層容易かつ正確にした本願発明のコネクタ１は、スライダ位置確認用の孔２１から露出するハウジング２の部分の色とスライダ位置確認用の孔２１から露出するスライダ１２の部分の色とを白色又は黒色に着色することには限定されず、これらの露出部分は互いに異なる色を着色したものであればよい。なお、好ましくは、この実施例で用いた白色及び黒色のように、上記スライダ１２の露出部分とハウジング２の露出部分とが、互いに明確に識別できる色彩にそれぞれ着色されるのがよい。
【００３６】
なお、この発明のコネクタにおいて、上述した「着色」は、スライダ１２またはハウジング２自体の形態が成形された後に色彩が付されるものであってもよいし、またスライダ１２またはハウジング２の形態を形成する際に、該形態の成形と同時に色彩が付されるものであってもよい。
【００３７】
また、この実施例では、コネクタ１に用いられているコイルバネ１５は、スライダ１２の移動により引っ張られて伸張する引っ張りバネであるが、この発明のコネクタでは、コイルバネ１５は該引っ張りバネに限定されず、スライダ１２の移動によってスライダ１２とハウジング２との間で縮む圧縮バネであってもよい。
【００３８】
なお、上記実施例ではＩＣカードとして、ＳＤカード１を使用する場合について詳述したが、この発明のコネクタは上記実施例に限定されることなく、板状のＩＣカードを取り扱うコネクタであれば、いかなるタイプのＩＣカード用コネクタにも適用できることは言うまでもない。
【００３９】
【発明の効果】
以上説明したように、この発明のコネクタでは、金属シェルに、スライダがコイルバネの付勢力によりカード挿入口側へスライドして初期位置に配置された場合にはスライダを露出させるとともに、スライダがコイルバネの付勢力に抗して前記端子側へスライドしてＩＣカードの装着位置に配置された場合にはハウジングを露出させるスライダ位置確認用の孔を形成しているから、ＩＣカード用コネクタのリフロー・ハンダ付け作業前において、コネクタの外観を観察して、スライダが前記初期位置にある状態、すなわちコイルバネにスライダやハウジングから応力が加えられていない状態であると判断した場合にのみ、リフロー・ハンダ付け作業をすることができる。そのため、リフロー熱によるコイルバネの変形は可及的に防止され、これによりＩＣカード用コネクタの不良品の製造を可及的に阻止することができる。
【図面の簡単な説明】
【図１】図１は、この発明のＩＣカード用コネクタの概念斜視図であって、特にＩＣカードを装着した様子を示す図。
【図２】図２は、図１のコネクタの概念平面図であって、特に、ハウジングの端子と印刷配線基板の導電パターンとのリフロー・ハンダ付け処理を行う前に、スライダがスライド始端（初期位置）に配置された様子を示す図。
【図３】図３は、図１のコネクタの概念平面図であって、特に、ハウジングの端子と印刷配線基板の導電パターンとのリフロー・ハンダ付け処理を行う前に、スライダがＩＣカードの装着位置に配置された様子を示す図。
【図４】図４は、従来のプッシュインプッシュアウト方式のＩＣカード用コネクタの概念斜視図であって、カードを装着した様子を示す図。
【図５】図５は、図４のＩＣカード用コネクタの構成を示す概念図で、図４のコネクタから金属シェルを取り除いた様子を示す図。
【図６】図６は、図４のＩＣカード用コネクタの初期状態を示す概念斜視図で、金属シェルを取り除いた様子を示す図。
【図７】図７は、図４のＩＣカード用コネクタの構成を示す概念図で、初期位置にあるスライダにカードが係合保持された直後の様子を示す図。
【図８】図８は、図４のコネクタの外観を示す概念平面図。
【符号の説明】
１…ＩＣカード用コネクタ
２…ハウジング
４…カード挿入口
１１…ロック手段
１２…スライダ
１５…コイルバネ
２１…スライダ位置確認用の孔
１０１…ＩＣカード
Ｂ…スライダ位置確認用の孔から露出するスライダの部分
Ｃ…スライダ位置確認用の孔から露出するハウジングの部分
【図１】
2004335174.tif 000003
【図２】
2004335174.tif 000004
【図３】
2004335174.tif 000005
【図４】
2004335174.tif 000006
【図５】
2004335174.tif 000007
【図６】
2004335174.tif 000008
【図７】
2004335174.tif 000009
【図８】
2004335174.tif 000010
【手続補正書】
【提出日】平成15年5月13日(2003.5.13)
【手続補正１】
【補正対象書類名】図面
【補正対象項目名】全図
【補正方法】変更
【補正の内容】
【図１】
2004335174.tif 000011
【図２】
2004335174.tif 000012
【図３】
2004335174.tif 000013
【図４】
2004335174.tif 000014
【図５】
2004335174.tif 000015
【図６】
2004335174.tif 000016
【図７】
2004335174.tif 000017
【図８】
2004335174.tif 000018